(57)【要約】  【課題】プラグの栓刃を所定の差込み位置から挿入した場合にのみ、栓刃挿入穴が開口するものとし、不適切なプラグの差込みを阻止できる扉付抜止コンセントを提供すること。  【解決手段】  挿入された栓刃２１が回動可能な弧状の栓刃挿入穴１０と、当該栓刃挿入穴１０を閉鎖する扉体３０とを備えた扉付抜止コンセント１であって、前記扉体３０には栓刃２１の挿入力を扉体３０が開く向きの力に変換する傾斜面３１が形成されており、当該傾斜面３１には、その一部に、平面状または前記傾斜面３１に対し逆傾斜面状の突部３２が設けられている扉付抜止コンセントとする。  【選択図】  図３
2008098067.tif 000002
【特許請求の範囲】
【請求項１】
挿入された栓刃が回動可能な弧状の栓刃挿入穴と、当該栓刃挿入穴を閉鎖する扉体とを備えた扉付抜止コンセントであって、
前記扉体には栓刃の挿入力を扉体が開く向きの力に変換する傾斜面が形成されており、
当該傾斜面には、その一部に、平面状または前記傾斜面に対し逆傾斜面状の突部が設けられていることを特徴とする扉付抜止コンセント。
【請求項２】
対向配置された一対の弧状の栓刃挿入穴には、栓刃の挿抜を可能とする栓刃挿抜位置と、挿入された栓刃を抜止保持する栓刃保持位置が存在しており、
前記突部は当該栓刃保持位置に設けられていることを特徴とする請求項１記載の扉付抜止コンセント。
【請求項３】
挿入された栓刃が回動可能な弧状の栓刃挿入穴と、当該栓刃挿入穴を閉鎖する扉体とを備えた扉付抜止コンセントであって、更に弧状の接地刃挿入穴と、当該接地刃挿入穴を閉鎖する扉体を具備し、当該扉体には接地刃の挿入力を扉体が開く向きの力に変換する傾斜面が形成されており、当該傾斜面には、その一部に、平面状または前記傾斜面に対し逆傾斜面状の突部が設けられていることを特徴とする扉付抜止コンセント。
【請求項４】
対向配置された一対の弧状の栓刃挿入穴には、栓刃の挿抜を可能とする栓刃挿抜位置と、挿入された栓刃を抜止保持する栓刃保持位置が存在しており、前記接地刃の挿入穴を閉鎖する扉体に設けられた突部は一対の栓刃が栓刃保持位置に存在する時に接地刃が位置する箇所に設けられたことを特徴とする請求項３記載の扉付抜止コンセント。
【請求項５】
前記突部は、全ての扉体に設けられたことを特徴とする請求項１乃至４記載の扉付抜止コンセント。
【請求項６】
前記扉付抜止コンセントは、防雨プレート内に装着され、壁面に設置された状態において下向きになるコンセントボス部を備えており、
前記栓刃挿入穴は、当該コンセントボス部に設けられていることを特徴とする請求項１乃至５記載の扉付抜止コンセント。
【請求項７】
前記扉付抜止コンセントは、ボディとカバーからなるケース本体によって外殻が形成されており、
前記扉体は、基部がケース体内に支持されているアーム部の先端に設けられており、
当該扉体は、当該アーム部が前記栓刃挿入穴を閉じる向きに弾性付勢されていることを特徴とする請求項１乃至６記載の扉付抜止コンセント。
【請求項８】
前記扉付抜止コンセントは、ボディとカバーとからなるケース本体によって外殻が形成されており、
前記扉体は、前記ケース本体内に一体又は別体として設けられた受座部に支持されて、栓刃挿入穴を開閉する向きにスライドし、且つ栓刃挿入穴を閉じる向きに弾性付勢されていることを特徴とする請求項１乃至６記載の扉付抜止コンセント。
【発明の詳細な説明】
【技術分野】
【０００１】
本発明は栓刃挿入穴が常には扉体で閉鎖され、且つ差し込んだプラグの抜け止め機構を有するコンセントに関し、特に不適切な位置からのプラグの差込みを阻止して、栓刃の変形やコンセントの損傷の発生を阻止することのできる扉付抜止コンセントに関する。
【背景技術】
【０００２】
従来から、コンセントに差し込んだプラグが不用意に抜け出る事を防止する為に、差し込んだプラグの抜け止め機構を有するコンセントが提供されている。このような抜け止め機構を有するコンセントは、特に不用意に電源コードが引っ張られる機会が多い屋外に設置される防水コンセントとして頻繁に利用されているが、近年ではコンピューター等の電子機器の普及に伴い、これら電子機器に対する電力供給の確実性を担保するべく、屋内で使用される壁面埋め込み型コンセントやテーブルタップ形コンセントとしても頻繁に利用されている。
【０００３】
このような抜け止め機構を有するコンセントは、屋外に設置される防水コンセントについて特許文献１（特開平８−２７３７４６号公報）が存在し、また屋内で使用されるコンセントについて特許文献２（特開平９−３２０６７１号公報）が存在する。そして特許文献１に記載されている防水コンセントは、栓刃挿入穴を閉鎖する扉を伴って形成され、コンセント本体の栓刃挿入穴及びピン挿入穴を、栓刃やアースピンの不挿入時に閉鎖する構造として形成されている。
【０００４】
また、従来から塵埃の進入や幼児の悪戯を阻止することなどを目的として、コンセントにおける栓刃差し込み口に、プラグの栓刃の挿抜により当該栓刃差込み口を開閉する扉体を設けたコンセントも提供されている。このような扉体を設けたコンセントとして、本願特許出願人は先に特許文献３（実公昭４８−１７９９９号公報）にかかるさし込接続器を提案している。このさし込接続器は、幼児が悪戯に針金又は金属片を一方のさし込口に差し込んだとしても、他極側のさし込口にも金属片などが差し込まれない限り当該一方のさし込口は解放しないものとして構成されている。
【特許文献１】特開平８−２７３７４６号公報
【特許文献２】特開平９−３２０６７１号公報
【特許文献３】実公昭４８−１７９９９号公報
【発明の開示】
【発明が解決しようとする課題】
【０００５】
しかしながら、上記特許文献１に記載されている防水コンセントでは、プラグの栓刃を、その抜け止め機構が作用する位置から差し込んだ場合であっても栓刃挿入穴を閉鎖する扉体が開いてしまうことから、当初予定したプラグとコンセントとの係合状態が得られない可能性があった。
【０００６】
そこで本発明は、プラグの栓刃を所定の差込み位置から挿入した場合にのみ、栓刃挿入穴が開口するものとし、不適切なプラグの差込みを阻止できる扉付抜止コンセントを提供することを課題とする。
【０００７】
また、プラグの栓刃を、その抜け止め機構が作用する位置から差し込んだ場合には、本来の差込み状態ではないことからプラグの栓刃やコンセントの刃受バネなどに負荷がかかってしまい、プラグの栓刃が変形したり、コンセントの内部構造が破損する事もある。
【０００８】
そこで本発明では、不適切な不正なプラグの差込みを阻止して、プラグの栓刃が変形したり、コンセントの内部構造が破損するおそれをなくした扉付抜止コンセントを提供することを課題とする。
【課題を解決するための手段】
【０００９】
上記課題の少なくとも１つを解決するべく、本発明では所定の位置から挿入しない限り栓刃挿入穴を閉鎖する扉体が開かない扉付抜止コンセントを提供するものである。
【００１０】
即ち、本発明では、挿入された栓刃が回動可能な弧状の栓刃挿入穴と、当該栓刃挿入穴を閉鎖する扉体とを備えた扉付抜止コンセントであって、前記扉体には栓刃の挿入力を扉体が開く向きの力に変換する傾斜面が形成されており、当該傾斜面には、その一部に、平面状または前記傾斜面に対し逆傾斜面状の突部が設けられていることを特徴とする扉付抜止コンセントを提供するものである。
【００１１】
かかる扉付抜止コンセントによれば、扉体における、栓刃の挿入力を扉体が開く向きの力に変換する傾斜面の一部に、平面状であるか、或いはこの傾斜面とは逆向きに傾斜する突部が形成されており、この突部が存在する部分から栓刃を差し入れたとしても、栓刃の挿入力は扉体が開く向きの力に変換されることがないため、当該扉体は栓刃挿入穴を閉鎖した状態を保つことができ、これにより栓刃の栓刃挿入穴への侵入を阻止できる。
【００１２】
また上記扉付抜止コンセントにおいて、対向配置された一対の弧状の栓刃挿入穴には、栓刃の挿入を可能とする栓刃挿入位置と、挿入された栓刃を抜止保持する栓刃保持位置が存在しており、前記突部は当該栓刃保持位置に設けられることが望ましい。
【００１３】
抜け止めコンセントでは、通常、挿入された栓刃を保持する栓刃保持位置から栓刃が挿入されることは想定されておらず、無理やり当該栓刃保持位置から栓刃を差し入れた場合には、栓刃の抜け止めを果たす為にコンセント内に設けられた構成（以下、「抜け止め構成」という）を破損させるか、あるいは栓刃を変形させてしまう。そこで、このような栓刃保持位置からの栓刃の挿入を確実に防止することで、この様な抜け止め構成の破損や、栓刃の変形を阻止することができる。
【００１４】
また本発明では、前記課題の少なくとも何れかを解決する為に、挿入された栓刃が回動可能な弧状の栓刃挿入穴と、当該栓刃挿入穴を閉鎖する扉体とを備えた扉付抜止コンセントであって、更に弧状の接地刃挿入穴と、当該接地刃挿入穴を閉鎖する扉体を具備し、当該扉体には接地刃の挿入力を扉体が開く向きの力に変換する傾斜面が形成されており、当該傾斜面には、その一部に、平面状または前記傾斜面に対し逆傾斜面状の突部が設けられている扉付抜止コンセントを提供する。
かかる扉付抜止コンセントによれば、接地刃挿入穴を閉鎖する扉体の傾斜面に、前記した突部が設けられることになり、不適切な位置からコンセントにプラグを差し込もうとした場合には、電源プラグにおける接地刃が突部に当たり、扉体が開く向きに動作することはなく、また当該電源プラグのコンセントへの差込は阻止される。特に、規格化された電源プラグにおいては、接地刃が栓刃よりも長く形成されていることから、当該接地刃が扉体の突部にあたることで、栓刃が栓刃挿入穴を閉塞する扉体に当たり、変形することを阻止することができる。
上記扉付抜止コンセントは、弧状の接地刃挿入穴と、当該接地刃挿入穴を閉鎖する扉体を具備し、前記突部は、当該栓刃挿入穴を閉鎖する扉体に設けることもができる。上記のような不適切な位置から栓刃を挿入した場合には、栓刃の変形の問題も生じることから、このような問題を解消する為である。特に、接地刃と比べた場合、栓刃は、その厚さ方向に変形しやすいのが通例であるから、このような栓刃の変形を確実に阻止する為である。
上記のように扉体に突起を形成する際、その形成位置は次のように調整することが望ましい。即ち、対向配置された一対の弧状の栓刃挿入穴には、栓刃の挿抜を可能とする栓刃挿抜位置と、挿入された栓刃を抜止保持する栓刃保持位置が存在しており、前記接地刃の挿入穴を閉鎖する扉体に設けられた突部は一対の栓刃が栓刃保持位置に存在する時に接地刃が位置する箇所に設けられた扉付抜止コンセントである。
【００１５】
また、上記突部は、コンセントに設けられる全ての扉体、即ち一対の栓刃挿入穴を閉鎖する一対の扉体、および接地刃挿入穴を閉鎖する扉体も含む場合には当該扉体の全てに設けることができる。また一対の栓刃挿入穴と接地刃挿入穴を具備する場合には、栓刃挿入穴を閉鎖する扉体だけに前記突部を形成したり、接地刃挿入穴を閉鎖する扉体だけに前記突部を形成することもできる。少なくとも栓刃挿入穴を閉鎖する全ての扉体に突部を形成することにより、一対の栓刃における何れの変形も阻止することができる。
【００１６】
また、前記扉付抜止コンセントが、防雨プレート内に装着され、壁面に設置された状態において下向きになるコンセントボス部を備え、前記栓刃挿入穴が当該コンセントボス部に設けられている場合に一層顕著な効果が得られる。これは、設置状態において下向きのコンセントボスに栓刃挿入穴が形成されている場合、当該コンセントが壁面の低い位置に設けられていると当該栓刃挿入穴を目視することは困難になる。しかしながら本発明にかかる扉付抜止コンセントでは、不適切な位置から栓刃を挿入すると、栓刃挿入穴を閉鎖する扉体が開かず、不適切な位置における挿入を阻止することができる。よって本発明にかかる扉付抜止コンセントは、この様に栓刃挿入穴を目視しにくい状態に設置された場合でも適正な位置から栓刃を挿入できる。
【００１７】
また、前記扉付抜止コンセントは、ボディとカバーとからなるケース本体によって外殻が形成されており、前記扉体は、基部がケース体内に支持されているアーム部の先端に設けられており、当該扉体は、当該アーム部が前記栓刃挿入穴を閉じる向きに弾性付勢されている（図示せず）ものとして形成することができる。この様な構成により栓刃挿入穴を扉体で閉鎖しても、扉体に前記突部を形成すれば、当該突部が形成された部分から挿入された栓刃の挿入力は、当該突部によって受け止められ、アーム部を付勢している弾性に抗して扉体を動かすことはないものとなる。
【００１８】
また、前記扉付抜止コンセントは、ボディとカバーとからなるケース本体によって外殻が形成されており、前記扉体は、前記ケース本体内に一体又は別体として設けられた受座部に支持されて、栓刃挿入穴を開閉する向きにスライドし、且つ栓刃挿入穴を閉じる向きに弾性付勢されている様に構成することもできる。このように形成したとしても、扉体に前記突部を形成すれば、当該突部が形成された部分から挿入された栓刃の挿入力は、当該突部によって受け止められ、栓刃挿入穴を開閉する向きに扉体をスライドさせることはない。
【発明を実施するための最良の形態】
【００１９】
以下、図面に基づいて本発明にかかる扉付抜止コンセント１の１つの実施形態を説明する。但し、以下に説明する扉付抜止コンセントでは、作用効果において同一の部材乃至は構造については、同一符号を付している。
【００２０】
図１は本実施の形態にかかる扉付抜止コンセント１の全体構造を示す（Ａ）側面図、（Ｂ）正面図、（Ｃ）背面図、（Ｄ）底面図であり、図２は図１（Ｂ）における、（Ａ）２Ａ−２Ａ矢視断面図、（Ｂ）２Ｂ−２Ｂ矢視断面図である。特に本実施の形態に示す扉付抜止コンセント１は、屋外に設置され、且つ使用されるのに適している防水コンセントとして具体化されている。
【００２１】
この扉付抜止コンセント１では、ボディ２と、このボディ２と共に内部空間を形成するカバー３と、ボディ２にカバー３を被着した状態で下面側に開口する開口部に被着されるコンセントボス４とで外殻（ケース体６）が構成されている。
【００２２】
そしてこのケース体６において下向きに形成されたコンセントボス４には、２個口の電源プラグ差込口７が設けられている。各プラグ差込口７は、本実施の形態では弧状に形成されて対向配置された一対の栓刃挿入穴１０と、この栓刃挿入穴１０とは別に設けられた接地刃挿入穴１１で構成されており、２極接地付型の電源プラグ２０を差し込むことができる様に構成されている。更にカバー３におけるコンセントボス４の下方には、アースターミナルを構成するアースねじ１３を設けており、アース線付の２極型電源プラグ２０’と別に設けたアース線をこのアースねじ１３に接続することで接地できる様に構成している。
【００２３】
ケース体６内であって、コンセントボス４に形成された各栓刃挿入穴１０の奥には刃受バネ１４が配置され、また接地刃挿入穴１１の奥にも接地刃用の刃受バネ（図示せず）が配置されている。この栓刃挿入穴１０および接地刃挿入穴１１は、コンセントボス４の面上に円弧状に形成されており、これにより挿入した栓刃２１及び接地刃２２を所定角度回転させることができるように構成されている。
【００２４】
そして挿入した電源プラグ２０を所定角度回転させた状態において、当該電源プラグ２０の抜けを防止するように、これを保持する電源プラグ２０の抜け止め機構を伴って形成されている。但し、本発明では当該抜け止め機構に特徴を有するものではなく、かつこの抜け止め機構については従来から数多くの周知技術（特開平１０−２２３３０６号公報など）が存在することから、この抜け止め機構に関する詳細な説明は本明細書では省略する。なお、この抜け止め機構の詳細を参照する場合には、前記特開平１０−２２３３０６号公報の他、特開平１０−２２３３０２号後方に記載されている技術を参照すればよい。
【００２５】
そして本実施の形態にかかる扉付抜止コンセント１では、各プラグ差込口７を構成する一対の栓刃挿入穴１０および接地刃挿入穴１１を開閉自在に閉鎖する扉体３０には、電源プラグ２０の挿入に伴って各刃挿入穴を開放する向きに当該扉体３０を移動させる傾斜面３１と、この傾斜面３１から突出して形成された突部３２とが形成されている（図１（Ｄ）参照）。
【００２６】
以下、この扉体３０の構成と作用・効果を、図３〜７を参照しながら具体的に説明する。図３はこの実施の形態の扉付抜止コンセント１における、扉体３０の動作を説明する要部拡大図であり、図４は当該扉体３０による作用効果と、他の実施の形態を示す要部拡大図である。
【００２７】
図３では、扉付抜止コンセント１における扉体３０の近傍を示す断面図と、電源プラグ２０の差込状況を示しており、その接地刃挿入穴１１には、接地刃２２の挿抜を可能とする接地刃挿抜位置と、挿入した接地刃２２を回転させた位置に存在して、電源プラグ２０が抜け出ない様に抜止保持する保持位置がある。この内、図３（Ａ）〜（Ｃ）に示すように、接地刃２２の挿抜位置から接地刃２２を挿入した場合には、差し入れられた接地刃２２は接地刃挿入穴を閉鎖している扉体３０の傾斜面３１にあたり、当該扉体３０を接地刃挿入穴１１が開く向き（図面中矢印で示す向き）に押し出す。このとき当該扉体３０は、基部（接地刃２２が挿入される奥側の部分）が支持されており、一定の弾性を有する弾性体（図示せず）によって弾性付勢されて当該接地刃挿入穴１１を閉鎖しているが、前記接地刃２２の挿入により、当該弾性付勢に抗して扉体３０が開く方向に移動することになる。これにより電源プラグ２０はコンセントに差し込まれることになり、これを回転させることで、当該電源コンセントの抜け落ちを阻止することができる。特に本実施の形態における扉体３０は、基部がケース体内に支持されているアーム部５１の先端に設けられており、このアーム部５１を介して図示しない弾性体によって接地刃挿入穴１１を閉鎖する方向に弾性付勢されている。
【００２８】
一方、図３（Ｄ）に示すように、接地刃挿入穴１１における、電源プラグ２０の保持位置から接地刃２２を挿入しようとすると、その接地刃２２は、扉体３０に形成された突部３２に当たり、これにより扉体３０の移動は阻止されるため、接地刃挿入穴１１が開口することはない。この突部３２は、図３（Ｄ）に示すように、プラグ２０を保持位置から挿入しようとした接地刃２２が当たる位置に形成されていれば良く、この図面に示すように、栓刃２１の差し入れ方向に直交する面として形成する他、前記傾斜面３１と逆向きの傾斜面（逆傾斜状の面）として形成することができる。なお、図３（Ａ）には、扉体の近傍を示す断面図と併せて、扉体の図面、および電源プラグの差込み方向裏側から見た略図を示している。
【００２９】
このように本実施の形態にかかるコンセントに挿入しようとした電源プラグ２０は、その扉体３０に形成された突部３２によって挿入が阻止されることから、当該栓刃２１や接地刃２２が変形したり、コンセント内における刃受バネ１４などを損傷させることはない。特にこの実施の形態に示すように、接地刃挿入穴１１を閉鎖する扉体３０にも突部３２を形成することにより、規格化された電源プラグ２０を、コンセントにおける保持位置から挿入しようとした場合には、最初に接地刃２２が、扉体３０に形成された突部３２に衝突することから、この接地刃２２よりも短く形成されている栓刃２１が扉体３０に当たることはない。よって、当該栓刃２１の変形を確実に阻止することができる。なお、図３（Ｄ）には、扉体の近傍を示す断面図と併せて、電源プラグの差込み方向裏側から見た略図を示している。
【００３０】
また、本実施の形態に示すように、接地刃挿入穴を閉鎖する扉体のみならず、栓刃挿入穴１０を閉鎖する扉体３０にも突部３２を形成すれば、仮に電源プラグ２０を傾けた状態でコンセントに差し入れ、栓刃２１が栓刃挿入穴１０に接した場合であっても、当該栓刃挿入穴１０を閉鎖する扉体３０が開くことはない。これによりコンセントの刃受バネが損傷を受ける事態を回避することができる。
【００３１】
次に、栓刃挿入穴を閉鎖する扉体３０の他の実施例について突部３２を形成したときの作用・効果を図４に基づいて説明する。この図４（Ａ）に示すように、当該扉体３０の傾斜面３１において、何ら突起が設けられていない部位（挿入位置）から栓刃２１を差し入れた場合には、当該栓刃２１の進入により扉体３０は横方向に移動し、これにより栓刃挿入穴１０は開口する。一方、図４（Ｂ）に示すように、当該斜面に、栓刃２１の挿入方向に直交する向きの平面を有する突部３２を形成した場合には、差し入れられた栓刃２１はこの突部３２によって受け止められ、扉体３０が横方向に移動することはない為、当該栓刃挿入穴１０は閉鎖したままとなる。これにより、栓刃２１の変形や栓刃挿入穴１０の奥に存在するコンセントの構成要素が損傷を受ける事態を回避することができる。なお、前記突部３２は、その他にも図４（Ｃ）に示すように、栓刃２１の挿入力を扉体３０を開く向きの力に変換する傾斜面３１とは逆向きの傾斜面３１として具体化することもできる。
【００３２】
図５は接地刃挿入穴を閉鎖する扉体３０の他の実施の形態における扉付抜止コンセント１の扉付近の形態を示す要部拡大図であり、（Ａ）〜（Ｃ）は接地刃２２の挿入により、扉体３０が移動して接地刃挿入穴１１を開口させる流れを示しており、（Ｄ）は電源プラグ２０を接地刃挿入穴１１の保持位置から差し入れようとした場合の例を示している。また図５（Ａ）には、扉体の近傍を示す断面図と併せて、扉体の図面、および電源プラグの差込み方向裏側から見た略図を示し、図５（Ｄ）には、扉体の近傍を示す断面図と併せて、電源プラグの差込み方向裏側から見た略図を示している。
【００３３】
この図に示すコンセントでは、栓刃挿入穴１０および接地刃挿入穴１１を閉鎖する扉体３０は、バネ５０によって弾性付勢されて各挿入穴を閉鎖している。そして各挿入穴の挿入位置から電源プラグ２０を挿入すると、接地刃２２によって接地刃挿入穴１１を閉鎖する扉体３０の傾斜面３１が（バネの弾性付勢に抗する向きに）押され、当該接地刃挿入穴１１を開口させる。同じように栓刃２１の挿入により栓刃挿入穴１０を閉鎖する扉体３０の傾斜面３１が（バネの弾性付勢に効する向きに）押され、当該栓刃挿入穴１０を開口させる。一方、本来のプラグ２０挿入位置からずれて電源プラグ２０を挿入した場合には、その接地刃２２や栓刃２１は、各扉体３０に形成された突部３２に抑えられてその侵入が阻止され、突部３２の存在により扉体３０が各挿入穴を開口する向きに移動することはない。
【００３４】
図６は図４（Ａ）（Ｂ）の実施形態図であり、接地刃２２を伴わない２極型の電源プラグ２０’に対応したコンセントの例を示している。この例に示すコンセントでは栓刃挿入穴１０を閉鎖する扉体３０に突起を形成しており、これにより電源プラグ２０’を栓刃挿入穴１０の保持位置から挿入した場合の、当該栓刃挿入穴１０の開口を阻止している。なおこの突部３２の構成やこれによって得られる作用効果は、前記２極接地付型の電源プラグ２０を差し込むことができるコンセントと同じであるから、ここでは省略する。図６中、（Ａ）〜（Ｃ）は栓刃２１の挿入により、扉体３０が移動して栓刃挿入穴１０を開口させる流れを示しており、（Ｄ）は電源プラグ２０を栓刃挿入穴１０の保持位置から挿入した場合の例を示している。また図６（Ａ）には、扉体の近傍を示す断面図と併せて、扉体の図面、および電源プラグの差込み方向裏側から見た略図を示し、図６（Ｄ）には、扉体の近傍を示す断面図と併せて、電源プラグの差込み方向裏側から見た略図を示している。
【００３５】
図７は更に他の実施の形態にかかるコンセントの具体例を示す（Ａ）正面図、（Ｂ）右側面図、（Ｃ）扉体３０の移動方向を示す略図である。特にこの実施の形態にかかるコンセントは壁面埋め込み型のコンセントとして具体化されている。
【００３６】
この図に示すコンセントは、背面側に存在するボディ２と正面側に存在するカバー３によって、配線器具における規格化された寸法の筐体が形成されており、この筐体における正面寄りには、当該コンセントを壁面（又は壁面に設けられら取り付け具）に設置するための取付枠５１が一体化されている。このように形成された筐体の正面（より具体的にはカバー３の正面）に存在するコンセントボス４には、２極接地付型の電源プラグ２０を差し込むことができる電源プラグ差込口７が２口上下に配置されており、各電源プラグ差込口７を構成する栓刃挿入穴１０および接地刃挿入穴１１には、これらを開閉自在に閉鎖する扉体３０が設けられている、この扉体３０にも、電源プラグ２０の挿入位置には上記した傾斜面３１が形成され、一方保持位置には前記の突部３２が形成されている。これにより前記した不適正な位置からの電源プラグ２０の挿入を阻止することができる。
【００３７】
なお、図７では特に壁面埋め込み型コンセントの例を示しているが、その他にも、差し込んだ電源プラグ２０を差し込み軸周りに回動させることで、その抜け止め機能を果たすこのとできる抜止コンセントであって、かつ栓刃２１や接地刃２２の挿入穴を閉鎖する扉体３０を備えるものであれば、本発明を実施することができる。例えばテーブルタップなどにおけるコンセント部分としても、本発明を実施することができる。
【００３８】
図８は、上記突部３２の大きさや形成位置の具体例を説明する図面である。上記したような抜止コンセントの場合は、電源プラグ２０の栓刃２１などを差し入れることのできる挿抜位置（図８（Ａ））と、電源プラグ２０の挿入軸（本図では、図面に直行する向きの軸）回りに回動させることで、当該プラグ２０が抜け出ることのない様に、これを抜止保持する保持位置（図８（Ｂ））とがある。本発明にかかるコンセントでは、この様な保持位置から電源プラグ２０を差し入れることを未然に防ぐものであるから、当該突部３２はこの保持位置に存在する様に形成される。また、本来の挿入位置から電源プラグ２０を挿入した場合には、当該電源プラグ２０の挿入によって扉体３０が移動し、栓刃挿入穴１０や接地刃挿入穴１１を開口する様に形成される必要があることから、当該突起は、少なくとも挿入位置には形成されないものとすることが必要である。このため当該突起を形成する場合には、例えば栓刃挿入穴１０においては、この穴の長さＬから、挿入位置に存在する栓刃２１の長さＭを除いた、保持領域内（即ち保持位置）の長さＮに形成されるのが望ましい。なお、栓刃２１を挿入する時のクリアランスを考えれば、栓刃２１の長さＭを僅かに長く想定しておくことが望ましい。
【図面の簡単な説明】
【００３９】
【図１】本実施の形態にかかる扉付抜止コンセントの全体構造を示す（Ａ）側面図、（Ｂ）正面図、（Ｃ）背面図、（Ｄ）底面図
【図２】図１（Ｂ）における、（Ａ）２Ａ−２Ａ矢視断面図、（Ｂ）２Ｂ−２Ｂ矢視断面図
【図３】実施の形態の扉付抜止コンセントにおける、接地刃挿入穴の扉体の動作を説明する要部拡大図
【図４】他の実施の形態の栓刃挿入穴における当該扉体による作用効果を示す要部拡大図
【図５】他の実施の形態の接地刃挿入穴における扉体を示す要部拡大図
【図６】他の実施の形態の栓刃挿入穴における扉体を示しており、（Ａ）〜（Ｃ）は栓刃の挿入による栓刃挿入穴の開口させる流れを示す説明図、（Ｄ）は電源プラグを栓刃挿入穴の保持位置から挿入した場合を示す説明図
【図７】更に他の実施の形態にかかるコンセントの具体例を示す（Ａ）正面図、（Ｂ）右側面図、（Ｃ）扉体の移動方向を示す略図
【図８】突部の大きさや形成位置を示す説明図であり、（Ａ）は挿入位置を、（Ｂ）は保持位置を示す説明図
【符号の説明】
【００４０】
１ 扉付抜止コンセント
２ ボディ
３ カバー
４ コンセントボス
７ 電源プラグ差込口
１０ 栓刃挿入穴
１１ 接地刃挿入穴
２０ 電源プラグ
２１ 栓刃
２２ 接地刃
３０ 扉体
３１ 傾斜面
３２ 突部
【図１】
2008098067.tif 000003
【図２】
2008098067.tif 000004
【図３】
2008098067.tif 000005
【図４】
2008098067.tif 000006
【図５】
2008098067.tif 000007
【図６】
2008098067.tif 000008
【図７】
2008098067.tif 000009
【図８】
2008098067.tif 000010